(57)【特許請求の範囲】
【請求項１】
構造粘性を有する塗材を塗装する際に用いる塗装用スプレーガンであって、吹付塗装する塗材を入れる塗材溜めＡ、該塗材溜め底部に接続され、塗材吹付口Ｂまで塗材を導入する塗材導入管Ｃ、該塗材導入管Ｃを貫通し、塗材導入管先端またはその手前まで伸びる吹付エアー導入管Ｄ、該吹付エアー導入管後端に接続された吹付エアーの開閉バルブＥ、塗材溜めＡの外側に接して設けられたバイブレーターＦ、塗材溜めＡを支持する取手Ｇから形成され、吹付エアー導入管Ｄから分枝した、バイブレーター用エアー導入管Ｈを有し、バイブレーターＦが、該バイブレーター用エアー導入管Ｈを介して導入されるエアー圧により振動を発生する、エアーバイブレーターであることを特徴とする塗装用スプレーガン。
【請求項２】
塗材溜めＡの外側壁後部に設けられた取手Ｇが、振動減衰材を介して、塗材溜めＡの外側壁後部に取り付けられていることを特徴とする請求項１に記載の塗装用スプレーガン。
【請求項３】
取手Ｇが、塗材溜めＡと塗材導入管Ｃの部分で、振動減衰材を介して固定される枠Ｋに取り付けられていることを特徴とする請求項１に記載の塗装用スプレーガン。
【請求項４】
取手Ｇが、塗材溜めＡの周囲の部分で、振動減衰材を介して固定される輪状枠Ｌに取り付けられていることを特徴とする請求項１に記載の塗装用スプレーガン。
【請求項５】
塗材溜めＡ全体が、逆円錐形状であり、取手Ｇが、該塗材溜めＡを包接する逆円錐形台状の、支持具Ｍに取り付けられており、Ｍの内壁に振動減衰材を被覆していることを特徴とする請求項１に記載の塗装用スプレーガン。
【請求項６】
振動減衰材が、防振ゴム、スプリング、板バネ、防振ゲルの何れかの手段によることを特徴とする請求項２から請求項５の何れかに記載の塗装用スプレーガン。
【発明の詳細な説明】
【０００１】
【発明の属する技術分野】
本発明は、構造粘性を有するような塗材を塗装する際に用いる塗装機において、塗材溜めを有するスプレーガンに関するものである。
【０００２】
【従来技術】
従来、１回の吹き付けで厚く塗布したい塗材の場合、垂れにくい粘性、すなわち静置しておくと比較的流動性が悪く、応力が加わると流動性が向上するという、構造粘性を有するような設定にしているため、これまでは、こて塗りが主体であり、塗装機による吹付塗装では、塗材自身を圧送する方法によっていた。
【０００３】
【発明が解決しようとする課題】
しかしながら、こて塗りを行うには、特殊な技能をもった左官業者が必要であり、また、圧送吹付方法では、専用のポンプを必要とするなど、小面積施工の場合には対応が難しかった。これに対して、従来の塗材溜め部を有する手吹き塗装機での施工が考えられるが、このような塗材溜め部を有する塗装機において、流動性が充分でない塗材を塗装する場合に、塗材溜め部内壁に塗材が付着して、塗材吹付口へ向かう塗材導入部へ塗材が流れていかず、極端な場合には、塗材溜め部に入れた塗材の中央部に空洞を生じて、それ以上塗材が流れなくなり、塗材溜め部に塗材が多く残留せざるを得なかった。
【０００４】
さらに天井面や壁面上部を塗装する際には、塗装機を上に傾けた状態で塗装を行うことになるため、重力によって、塗材が塗材の導入部へと落下することが期待できずこのような傾向はさらに顕著なものとなっていた。
【０００５】
このような場合には、塗装作業者が塗装機を上下に揺すり、塗材の流動を促す方法によって塗装作業を継続していたが、塗装作業の中断、作業者の疲労等をまねくため、実際にはそのままでは作業ができないのが現状であった。
【０００６】
本発明が解決しようとする課題は、このような構造粘性を有する流動性の非常に悪い塗材を塗装する場合においても、塗装作業を中断するような作業者自身の揺動操作を必要とせず、スムーズな塗装作業を継続できる塗装用スプレーガンを得ることである。
【０００７】
【課題を解決するための手段】
このような問題点を解決するために、本発明者らは鋭意検討の結果、作業者による揺動作業を、塗装作業時に塗装機自身によって発生する、振動によって代替させることに想到し、本発明を完成した。
【０００８】
すなわち、以下に列挙される構成のスプレーガンである。
１．構造粘性を有する塗材を塗装する際に用いる塗装用スプレーガンであって、吹付塗装する塗材を入れる塗材溜めＡ、該塗材溜め底部に接続され、塗材吹付口Ｂまで塗材を導入する塗材導入管Ｃ、該塗材導入管Ｃを貫通し、塗材導入管先端またはその手前まで伸びる吹付エアー導入管Ｄ、該吹付エアー導入管後端に接続された吹付エアーの開閉バルブＥ、塗材溜めＡの外側に接して設けられたバイブレーターＦ、塗材溜めＡを支持する取手Ｇから形成され、吹付エアー導入管Ｄから分枝した、バイブレーター用エアー導入管Ｈを有し、バイブレーターＦが、該バイブレーター用エアー導入管Ｈを介して導入されるエアー圧により振動を発生する、エアーバイブレーターであることを特徴とする塗装用スプレーガン。
【００１０】
２．塗材溜めＡの外側壁後部に設けられた取手Ｇが、振動減衰材を介して、塗材溜めＡの外側壁後部に取り付けられていることを特徴とする請求項１に記載の塗装用スプレーガン。
【００１１】
３．取手Ｇが、塗材溜めＡと塗材導入管Ｃの部分で、振動減衰材を介して固定される枠Ｋに取り付けられていることを特徴とする請求項１に記載の塗装用スプレーガン。
【００１２】
４．取手Ｇが、塗材溜めＡの周囲の部分で、振動減衰材を介して固定される輪状枠Ｌに取り付けられていることを特徴とする請求項１に記載の塗装用スプレーガン。
【００１３】
５．塗材溜めＡ全体が、逆円錐形状であり、取手Ｇが、該塗材溜めＡを包接する逆円錐形台状の、支持具Ｍに取り付けられており、Ｍの内壁に振動減衰材を被覆していることを特徴とする請求項１に記載の塗装用スプレーガン。
【００１４】
６．振動減衰材が、防振ゴム、スプリング、板バネ、防振ゲルの何れかの手段によることを特徴とする請求項２から請求項５の何れかに記載の塗装用スプレーガン。
【００１５】
【発明の実施の形態】
以下に本発明の構成について具体的に詳述する。
【００１６】
本発明の塗装用スプレーガンの塗材溜めＡは筒状であり、塗材導入管へと連なるその底部が逆円錐型に絞り込まれ、塗材導入管へと開口している。また、場合によってはその全体が逆円錐形状や逆四角錐形状等でもよいが、振動の伝わりやすさからは円筒形状や逆円錐形状が好ましい。
【００１７】
この塗材溜めＡの外側に接してバイブレーターＦを固定する。固定手段はビス止め、塗材溜めＡ外周へのベルト止め等、特に限定されない。バイブレーターＦは、電動またはエアー圧作動（回転式またはハンマー式）の何れによってもよいが、エアー圧利用の方が後述のように、吹付塗装エアーを利用できるため、構造が簡単となる上に軽量化できる点で望ましい。また、バイブレーターＦの振動方向は、垂直方向、水平方向の何れでもよい。
【００１８】
塗材導入管Ｃは、円錐型に絞り込まれた塗材溜めＡの底部に連なり、通常の場合は、水平ないしはやや上向き加減に折れ曲がっており、その先端開口部には塗材吹付口Ｂが取り付けられている。但し、塗布する部位によっては下向きにセットされる場合もある。この塗材吹付口Ｂは、塗材導入管Ｃの先端部に対して、ネジ式で取り付け、取り外し可能になっており、塗材の種類や吹付塗膜のパターンにより、その開口部直径、形状を各種選択できる。
【００１９】
吹付エアー導入管Ｄは、この塗材導入管Ｃの後方よりその側壁を貫通し、塗材導入管Ｃの中心を、塗材導入管Ｃと同一方向で、塗材導入管先端部またはその手前まで伸びている。
【００２０】
吹付エアー導入管Ｄはその後端部に、吹付エアーの開閉バルブＥを有している。さらに、バイブレーターＦとして、エアー圧作動タイプのものを使用する場合には、吹付エアーの開閉バルブＥと塗材導入管Ｃの間で、吹付エアー導入管Ｄを分枝させ、その一方については、屈曲性を有するバイブレーター用エアー導入管Ｈを介して、バイブレーターＦにエアーを導入する。このようにすることで、塗材の吹付塗装の開始のために、吹付エアーの開閉バルブＥを開けると同時に、分枝したエアーにより、バイブレーターが振動を開始し、吹付塗装を中止するために、吹付エアーの開閉バルブＥを閉じると同時に、バイブレーターの振動が止まり、バイブレーター自身のオン、オフのスイッチ機構を特別に設ける必要が無い点で望ましい構成である。なお、吹付エアーの開閉バルブＥの手前でエアーを分枝して、バイブレーターと吹付エアーを別途にしてもよい。
【００２１】
また、バイブレーター用エアー導入管Ｈにエアー圧調整弁を設けると、バイブレーターＦの振動の程度を調整できる。
【００２２】
塗装作業時に、塗装用スプレーガンを支持する為に、塗材溜めＡの外側壁後部に取手Ｇを設けている。また、比較的大きい塗装用スプレーガンの場合、塗材溜めＡの外壁側の左右に２つの取手Ｇを設ける場合もある。この取手は塗装用スプレーガン全体を取手Ｇを持つことによって支持できる形状であれば特に限定されるものではないが、バイブレーターＦによる振動によって、作業者自身の不快感や疲労感がある場合には、防振ゴム、スプリング、板バネ、防振ゲル等の振動減衰材を介して、塗材溜めＡに取り付けられていることが望ましい。
【００２３】
例えば、塗材溜めＡの外側上部と、塗材導入管Ｄの外側底部に対して、振動減衰材を介して固定される枠に取手を取り付けたものや、塗材溜めＡの周囲に振動減衰材を介して固定される輪状枠に取手を取り付けたもの、塗材溜めＡ全体を逆円錐形状にした場合には、その塗材溜めＡを包接する逆円錐台状の支持具に、取手を取り付けたもの等があげられる。
【００２４】
本発明の塗装用スプレーガンの使用方法は、吹付エアーの開閉バルブＥを閉じた状態で、吹付エアーの開閉バルブＥに接続された導入管に、コンプレッサーより圧縮エアーを導入し、塗材溜めＡに塗材を投入後に、被塗物に塗材吹付口Ｂを向け、吹付エアーの開閉バルブＥを開く。このときエアー圧作動タイプのバイブレーターＦを使用している場合は、吹付エアーの開閉バルブＥを開くと同時に、塗装用スプレーガン全体、特に塗材溜めＡの部分が振動して、塗材溜めＡ内壁へ付着した流動性の悪い塗材が、塗材導入管Ｃへと流動させられる。また、電動タイプのバイブレーターＦの場合には、バイブレーターＦのスイッチをオンにした後に、吹付エアーの開閉バルブＥを開く。バイブレーターＦの振動によって、塗材が滞ることなく塗材導入管Ｃへ流れるため、継続してスムーズな塗装作業が可能となる。
【００２５】
【実施例】
以下、実施例によって、本発明の構成を説明する。
（実施例１）
図１、２に示したように、円筒形状でその途中から逆円錐形状となり、底部が開口している塗材溜めａと、それに連なるＬ字形状に折れ曲がった塗材誘導管ｃと、塗材誘導管ｃの先端部に取り付けた塗材吹付口ｂと、後方から塗材導入管ｃを貫通し、塗材導入管ｃ先端またはその手前まで伸びる吹付エアー導入管ｄと、その吹付エアー導入管ｄに連なる吹付エアーの開閉バルブｅと、塗材溜めａの外側前部に接するようにベルトで固定された電動式バイブレーターｆと、塗材溜めａの外側後部に、塗材溜めａを支持する取手ｇから構成される塗装用スプレーガンを製造した。
【００２６】
このとき、塗材誘導管ｃの内部は、図３に示したように、吹付エアー導入管ｄが内部を貫通し、塗材導入管ｃの先端部で開口しているため、塗材溜めａから流動してきた塗材が、塗材誘導管ｃ内を進み、吹付エアー導入管ｄの開口部に至った段階で、エアー圧によって、塗材吹付口ｂより外部に放出される。
【００２７】
このような構造の塗装用スプレーガンの塗材溜めに、セメント、合成樹脂エマルション、パルプ繊維、骨材等を含有した、構造粘性を有する流動性の悪い塗材を、塗材溜めａの８分目まで（約４リットル）投入し、電動バイブレーターを約１５００回／分にて振動させながら、エアー圧４００ｋＰａにて、口径１０ｍｍの塗材吹付口ｂから、天井面に向かって、塗装用スプレーガンを３０゜傾けて吹付塗装した。
【００２８】
結果は、塗材のほとんが塗材導入管ｃにスムーズに流入し、塗装中に塗材を残した状態で、塗材の噴出がストップすることなく、最後まで塗装作業を行うことができた。
【００２９】
（実施例２）
図４のように、バイブレーターｆとして、エアー圧作動タイプのものを用い、エアーを吹付エアー導入管ｄから分枝するバイブレーター用エアー導入管ｈから供給して、バイブレーターを約１００００回／分にて振動させる以外は、実施例１と同様にして塗装用スプレーガンを製造し、実施例１と同様に吹付塗装を行った結果、塗材のほとんが塗材導入管ｃにスムーズに流入し、塗装中に塗材を残した状態で、塗材の噴出がストップすることなく、最後まで塗装作業を行うことができた。
【００３０】
（実施例３）
図５のように、塗材溜めａと取手ｇの間に、防振ゴムｉを挟んで固定した以外は、実施例２と同様にして、塗装用スプレーガンを製造し、実施例２と同様に吹付塗装を行った結果、塗材のほとんが塗材導入管ｃにスムーズに流入し、塗装中に塗材を残した状態で、塗材の噴出がストップすることなく、最後まで塗装作業を行うことができた。また、作業中はバイブレーターの振動が、防振ゴムｉによって吸収され、取手ｇを持つ手への振動はあまり感じられなかった。
【００３１】
（実施例４）
図６のように、塗材溜めａと取手ｇの間に、スプリングｊを挟んで固定した以外は、実施例２と同様にして、塗装用スプレーガンを製造し、実施例２と同様に吹付塗装を行った結果、塗材のほとんどが塗材導入管ｃにスムーズに流入し、塗装中に塗材を残した状態で、塗材の噴出がストップすることなく、最後まで塗装作業を行うことができた。また、作業中はバイブレーターの振動が、スプリングｊによって吸収され、取手ｇを持つ手への振動はあまり感じられなかった。
【００３２】
（実施例５）
図７のように、塗材溜めａの上部２カ所と、塗材導入管の底部１カ所の３点をスプリングｊにて支持する、図８のような枠ｋに取手ｇを取り付けたものを用いた以外は、実施例２と同様にして、塗装用スプレーガンを製造し、実施例２と同様に吹付塗装を行った結果、塗材のほとんが塗材導入管ｃにスムーズに流入し、塗装中に塗材を残した状態で、塗材の噴出がストップすることなく、最後まで塗装作業を行うことができた。また、作業中はバイブレーターの振動が、スプリングｊによって吸収され、取手ｇを持つ手への振動はあまり感じられなかった。
【００３３】
（実施例６）
図９のように、バイブレーターｆの位置を塗材溜めａの上部にし、さらに塗材溜めａの周囲４カ所をスプリングｊにて連結した輪状枠を上下二段にしたものｌに取手ｇを取り付けたものを用いた以外は、実施例２と同様にして、塗装用スプレーガンを製造し、実施例２と同様に吹付塗装を行った結果、塗材のほとんが塗材導入管ｃにスムーズに流入し、塗装中に塗材を残した状態で、塗材の噴出がストップすることなく、最後まで塗装作業を行うことができた。また、作業中はバイブレーターの振動が、スプリングｊによって吸収され、取手ｇを持つ手への振動はあまり感じられなかった。
【００３４】
（実施例７）
図１１のように、塗材溜めａ全体が逆円錐形状であり、該塗材溜めａを包接する逆円錐台状の支持具に取手が取り付けてあり、その内壁に振動減衰用のクッション材料として被覆防振ゴムｎを用い、吹付エアー導入管ｄから分枝するバイブレーター用エアー導入管Ｈが、エアー圧調整弁ｏを経由している以外は、実施例６と同様にして、吹付塗装を行った結果、塗材のほとんが塗材導入管ｃにスムーズに流入し、塗装中に塗材を残した状態で、塗材の噴出がストップすることなく、最後まで塗装作業を行うことができた。また、作業中はバイブレーターの振動が、被覆防振ゴムｎによって吸収され、取手ｇを持つ手への振動はあまり感じられなかった。また、吹付作業中であっても、エアー圧調整弁の調整により、バイブレーターの振動をスムーズに変動させることができた。
【００３５】
【発明の効果】
本発明の塗装用スプレーガンは、塗材溜め部を有する塗装機において、構造粘性を有するような流動性が充分でない塗材を塗装する場合に、塗材溜め部内壁に塗材が付着して、塗材吹付口へ向かう塗材導入部へ塗材が流れていかない場合や、極端な場合には、塗材溜め部に保管した塗材の中央部に空洞を生じて、まったく塗材が流れなくなってしまう場合、さらには、天井面や壁面上部を塗装する際の、塗装機を傾けた状態で塗装を行う場合において、重力によって、塗材が塗材の導入部へと落下することが期待できない場合でも、塗装作業者が塗装機を上下に揺すり、塗材の流動を促すことを必要とせず、塗装作業が中断されることになく、スムーズな作業を行うことができる。
【図面の簡単な説明】
【図１】本発明の実施態様の一つを示す側面図
【図２】図１の実施態様の平面図
【図３】塗材導入管ｃ、吹付エアー導入管ｄ、吹付エアーの開閉バルブｅの内部構造を示す断面図
【図４】本発明の他の実施態様を示す側面図
【図５】本発明の他の実施態様を示す側面図
【図６】本発明の他の実施態様を示す側面図
【図７】本発明の他の実施態様を示す側面図
【図８】図７の取手部分の部品を示す斜視図
【図９】本発明の他の実施態様を示す側面図
【図１０】図９の実施態様の平面図
【図１１】本発明の他の実施態様を示す側面図
【符号の説明】
ａ  塗材溜め
ｂ  塗材吹付口
ｃ  塗材導入管
ｄ  吹付エアー導入管
ｅ  吹付エアーの開閉バルブ
ｆ  バイブレーター
ｇ  取手
ｈ  バイブレーター用エアー導入管
ｉ  防振ゴム
ｊ  スプリング
ｋ  取手ｇを取り付けた枠
ｌ  取手ｇを取り付けた上下二段の輪状枠
ｍ  取手ｇを取り付けた、塗材溜めを包接する逆円錐台状の支持具
ｎ  被覆防振ゴム
ｏ  エアー圧調整弁
11
−    −
【図１】
0003938611.tif 000002
【図２】
0003938611.tif 000003
【図３】
0003938611.tif 000004
【図４】
0003938611.tif 000005
【図５】
0003938611.tif 000006
【図６】
0003938611.tif 000007
【図７】
0003938611.tif 000008
【図８】
0003938611.tif 000009
【図９】
0003938611.tif 000010
【図１０】
0003938611.tif 000011
【図１１】
0003938611.tif 000012